(57)【要約】      （修正有）【課題】低侵襲手術専用骨釘と連接棒架設固定構造を提供する。【解決手段】剛性スリーブ１と軟性連接棒２とを結合した分段式架設固定構造により、グリップ体３と骨釘の本体のグリップ定位で、また、剛性スリーブ１と軟性連接棒２で、それぞれ、骨釘の本体と骨釘の連動構造において、完全剛性牽制と一部弾性牽制の具体効果が得られ、分段制限により、脊椎骨６の湾曲と捻りに対する活動弾性の能力が大幅に向上され、脊椎骨６の異なる臨床ケースに対して、適当な治療や矯正リハビリを選別でき、また、手術過程において、有効に、創傷の開口面積を減小できる。【選択図】図５
0003184281.tif 000002
【実用新案登録請求の範囲】
【請求項１】
収納空間と二つの溝きり及び貫通孔があり、上記収納空間と貫通孔が、それぞれ、剛性スリーブの両端に形成され、上記二つの溝きりが、剛性スリーブの外部の対応する側に形成され、上記収納空間に貫通する剛性スリーブと、
円形棒体構造で、対応して、上記剛性スリーブの収納空間に嵌設される軟性連接棒と、
が含有される、
ことを特徴とする低侵襲手術専用骨釘と連接棒架設固定構造。
【請求項２】
上記剛性スリーブの材質が、金属であることを特徴とする請求項1に記載の低侵襲手術専用骨釘と連接棒架設固定構造。
【請求項３】
上記軟性連接棒の材質が、プラスチックやゴム、高密度スポンジ或いはシリカゲルの何れかの一つであることを特徴とする請求項1に記載の低侵襲手術専用骨釘と連接棒架設固定構造。
【考案の詳細な説明】
【技術分野】
【０００１】
本考案は、低侵襲手術専用骨釘と連接棒架設固定構造に関し、特に、剛性スリーブと軟性連接棒を結合する分段式架設固定構造により、完全剛性牽制と一部弾性牽制の具体作用を実現できる低侵襲手術専用骨釘と連接棒架設固定構造に関する。
【背景技術】
【０００２】
従来の骨釘と連接棒架設固定構造は、完全に硬材質の連接棒の構造設計のため、各骨釘間に、弾性的な湾曲や捻りの能力を有しなく、脊椎骨に対して、多段に弾性的な湾曲や捻りの能力を発揮できなく、脊椎骨の異なる臨床ケースに対して、適当な治療や矯正リハビリを選別できない。
【０００３】
上記の、従来の骨釘と連接棒架設固定構造は、1、硬材質連接棒を使用するため、骨釘が、脊椎骨に応じて、スムーズに回転できなく、2、活動を必要とする脊椎骨の関節区間に、完全に、適用できない、などの欠点が残されている。
【０００４】
本考案者は、上記欠点を解消するため、慎重に研究し、また、学理を活用して、有効に上記欠点を解消でき、設計が合理である本考案を提案する。
【考案の開示】
【考案が解決しようとする課題】
【０００５】
本考案は、特に、剛性スリーブと軟性連接棒を結合する分段式架設固定構造により、完全剛性牽制と一部弾性牽制の具体作用を実現できる低侵襲手術専用骨釘と連接棒架設固定構造を提供する。
【０００６】
本考案に係る低侵襲手術専用骨釘と連接棒架設固定構造は、1、硬材質スリーブを利用する箇所において、骨釘により、脊椎骨の変位が制限され、2、軟材質連接棒を利用する箇所において、骨釘が、脊椎骨に応じてスムーズに回転でき、3、剛性スリーブと軟性連接棒とに合わせて、適用弾性が大幅に増大され、4、剛性スリーブと軟性連接棒との嵌接が、容易になり、大幅に、時間の節約を実現でき、5、剛性スリーブの構造が簡単で、設計と生産コストが、容易に制御され、6、連接棒の材質が、大幅に選択でき、原材料の物価により影響が小さくなる、などの利点が得られる。
【課題を解決するための手段】
【０００７】
請求項１の考案は、収納空間と二つの溝きり及び貫通孔があり、上記収納空間と貫通孔が、それぞれ、剛性スリーブの両端に形成され、上記二つの溝きりが、剛性スリーブの外部の対応する側に形成され、上記収納空間に貫通する剛性スリーブと、円形棒体構造で、対応して、上記剛性スリーブの収納空間に嵌設される軟性連接棒と、が含有される、ことを特徴とする低侵襲手術専用骨釘と連接棒架設固定構造である。
【０００８】
請求項２の考案は、上記剛性スリーブの材質が、金属であることを特徴とする請求項1に記載の低侵襲手術専用骨釘と連接棒架設固定構造である。
【０００９】
請求項3の考案は、上記軟性連接棒の材質が、プラスチックやゴム、高密度スポンジ或いはシリカゲルの何れかの一つであることを特徴とする請求項1に記載の低侵襲手術専用骨釘と連接棒架設固定構造である。
【００１０】
以下、図面を参照しながら、本考案の特徴や技術内容について、詳しく説明するが、それらの図面等は、参考や説明のためであり、本考案は、それによって制限されることが無い。
【考案を実施するための形態】
【００１１】
図１乃至図３のように、本考案は、剛性スリーブ1と軟性連接棒2があり、剛性スリーブ1は、収納空間11と二つの溝きり12及び貫通孔13があり、上記収納空間11と貫通孔13が、それぞれ、剛性スリーブ1の両端に形成され、上記二つの溝きり12が、剛性スリーブ1の外部の対応する側に形成され、上記収納空間11に貫通し、上記剛性スリーブ1の材質が、金属であり、軟性連接棒2は、円形棒体構造で、対応して、上記剛性スリーブ1の収納空間11に嵌設され、上記軟性連接棒2の材質が、プラスチックやゴム、高密度スポンジ或いはシリカゲルの何れかの一つである。
【００１２】
図４のように、本考案によれば、各グリップ体3のロック体31は、ツール(通常、六角レンチである)で内六角穴311に嵌合され、おねじ312を利用して、骨釘の本体4に締まれて、受け座41の二つの第一の側壁411の間に位置し、剛性スリーブ1と軟性連接棒2とが、それぞれ、各グリップ座32によって圧迫され、グリップが、安定的に、定位状態になり、複数の注入穴52を有するロック釘5は、下へ伸びて脊椎骨6の正確位置にロックされ、図５のようである。
【００１３】
骨釘の本体4の間に、架設固定されたものが、剛性スリーブ1であれば、上記二つの本体4の間において、相対的に変位できず、架設固定されたものが、軟性連接棒2であれば、上記二つの本体4の間において、相対的に変位すうことができ、言い換えれば、不動に固定する必要のある脊椎骨6(図５のように)の関節区間において、上記骨釘の本体4に、剛性スリーブ1がグリップ固定され、また、自由活動を必要する脊椎骨6(図５のように)の関節区間において、上記骨釘の本体4に、剛性スリーブ1に嵌設された軟性連接棒2がグリップ固定される。
【００１４】
図５のように、本考案に係る架設固定構造によれば、人体に対して、低侵襲手術を行うだけで、ロック釘5を、脊椎骨6の正確位置にロックでき、同時に、グリップ体3と骨釘の本体4のグリップ定位と、剛性スリーブ1と軟性連接棒2の連結とにより、それぞれ、各骨釘間の剛性と弾性の牽制作用が実現され、小さい面積の創傷開口だけで、手術の目的が達成され、手術後の回復状況がよくなり、また、感染リスクが低減され、ともに、より良い効果が得られ、また、ロック釘5の内孔51が、複数の注入穴52を介して、脊椎骨6に連通するため、医者が骨質充填剤を供給するかを評価することに適用される。
【００１５】
そのため、本考案は、より進歩的かつより実用的で、法に従って実用新案登録請求を出願する。
【００１６】
以上は、ただ、本考案のより良い実施例であり、本考案は、それによって制限されることが無く、本考案に係わる考案登録請求の範囲や明細書の内容に基づいて行った等価の変更や修正は、全てが、本考案の考案登録請求の範囲内に含まれる。
【図面の簡単な説明】
【００１７】
【図１】本考案の実施例の架設固定構造の分解図
【図２】本考案の実施例の架設固定構造の組立て図
【図３】本考案の実施例の架設固定構造の側面断面図
【図４】本考案の実施例の架設固定構造の連結図
【図５】本考案の実施例の架設固定構造の応用図
【符号の説明】
【００１８】
1  剛性スリーブ
11  収納空間
12  溝きり   
13  貫通孔            
2  軟性連接棒
3  グリップ体
31  ロック体    
311     内六角穴
312     おねじ
32  グリップ座
321     凹み円弧面      
4  本体
41  受け座            
411     第一の側壁
4111        第一のめねじ    
412     第二の側壁
4121        第二のめねじ
413     V形溝
42  枢着座
5  ロック釘
51  内孔
52  注入穴
6  脊椎骨
【図１】
0003184281.tif 000003
【図２】
0003184281.tif 000004
【図３】
0003184281.tif 000005
【図４】
0003184281.tif 000006
【図５】
0003184281.tif 000007